(57)【特許請求の範囲】
【請求項１】
上端部と下端部とが開口されるとともにそれぞれ上下に延びて配置され、かつ、内部に熱媒体が流通され偶数本の熱伝導性の第一管部材と、これらの第一管部材がそれぞれ収納され上端部と下端部とが開口された熱伝導性の第二管部材と、前記第二管部材に収納された前記偶数本の第一管部材のうち隣り合う第一管部材同士を連通するとともに前記第一管部材の上端部に接続され非熱伝導性材料から形成されたＵ字状上部連通管とを備え、
前記偶数本の第一管部材は、それぞれ前記第二管部材の中において一方向に並んで配置され、
前記第二管部材は、上下方向とは交差する方向であって前記一方向と交差する方向に複数が並んで配置され、
前記偶数本の第一管部材の下端部と前記第二管部材の下端部とはそれぞれ開口され、前記複数の第二管部材のうち隣合う第二管部材の一方に収納された前記偶数本の第一管部材のうち前記一方向の一側に配置された第一管部材の下部と、前記隣合う第二管材のうち他方に収納された前記偶数本の第一管部材のうち前記一方向の一側に配置された第一管部材の下部とを非熱伝導性材料から形成されたＵ字状の下部連通管で連通する
ことを特徴とする冷暖房用パネル。
【請求項２】
請求項１に記載された冷暖房用パネルにおいて、
前記偶数本の第一管部材は、それぞれ円筒状であり、前記第二管部材は、その内周部が前記第一管部材の外周部に複数箇所で接合される角筒状であることを特徴とする冷暖房用パネル。
【請求項３】
請求項１又は請求項２に記載された冷暖房用パネルにおいて、
前記上部連通管を覆うプラスチック製のキャップ部材が前記第二管部材の上端部に接続されていることを特徴とする冷暖房用パネル。
【請求項４】
請求項１ないし請求項３のいずれかに記載された冷暖房用パネルにおいて、
前記第二管部材の下部及び前記下部連通管の正面を覆うプラスチック製の前面カバーを備えたことを特徴とする冷暖房用パネル。
【請求項５】
請求項１ないし請求項４のいずれかに記載された冷暖房用パネルと、この冷暖房用パネルに接続された熱媒体供給装置とを備え、前記冷暖房用パネルは、その背面が建物内部の壁部に対向するように配置されることを特徴とする冷暖房装置。
【請求項６】
請求項５に記載された冷暖房装置において、
前記第二管部材の前記壁部と対向する背面にはプラスチック製の結露防止板が設けられていることを特徴とする冷暖房装置。
【請求項７】
請求項５又は請求項６に記載された冷暖房装置において、
前記熱媒体供給装置は、前記複数の第二管部材のうち一方の端の第二管部材に収納された第一管部材に熱媒体を供給する流体供給管と、前記複数の第二管部材のうち他方の端の第二管部材に収納された第一管部材から熱媒体を回収する流体回収管とを備え、前記流体供給と前記流体回収管とは、それぞれ前記冷暖房用パネルが設置される床部に形成された孔に挿通されることを特徴とする冷暖房装置。
【発明の詳細な説明】
【技術分野】
【０００１】
本発明は、冷暖房用パネル及びこの冷暖房用パネルを用いた冷暖房装置に関する。
【背景技術】
【０００２】
建物内部の冷暖房のために、室内に配置された冷暖房用パネルと、この冷暖房用パネルに冷水や温水等の熱媒体を供給する熱媒体供給装置とを備えた冷暖房装置が利用されている。
この冷暖房用パネルの従来例には、それぞれ上下に延びた多数の管部材の端部が上部ヘッダと下部ヘッダとに接続された熱放射パネル（特許文献１）がある。
【０００３】
特許文献１で示される熱放射パネルでは、上部ヘッダは、多数の管部材の上端部がそれぞれ開口されるとともに両端が閉塞された角筒部材である。
上部ヘッダは、長手方向の長さが管部材の並び方向の寸法より長く、かつ、長手方向と直交する平面内の大きさも大きい。
【先行技術文献】
【特許文献】
【０００４】
【特許文献１】特開２０１２−８７９７５号公報
【発明の概要】
【発明が解決しようとする課題】
【０００５】
特許文献１で示される従来例では、重量のある上部ヘッダが管部材の上端部に設置されていることから、熱放射パネルの設置とデザイン性とが制約される。
特に、特許文献１で示される従来例では、熱放射パネルの高さは床面から天井付近まであるので、上端部に配置される上部ヘッダが重いと、熱放射パネルの設置時だけでなく設置後もパネルがふらつかないようにするためにしっかりと固定しなければならない。
【０００６】
本発明の目的は、放熱特性に優れ設置が容易な冷暖房用パネル及び冷暖房装置を提供することにある。
【課題を解決するための手段】
【０００７】
図面を参照して説明すると、本発明の冷暖房用パネル１は、上端部と下端部とが開口されるとともにそれぞれ上下に延びて配置され、かつ、内部に熱媒体が流通される偶数本の熱伝導性の第一管部材３１と、これらの第一管部材３１がそれぞれ収納され上端部と下端部とが開口された熱伝導性の第二管部材３２と、前記第二管部材に収納された前記偶数本の第一管部材のうち隣り合う第一管部材同士を連通するとともに前記第一管部材の上端部に接続され非熱伝導性材料から形成されたＵ字状上部連通管４１と、を備え、前記第二管部材は、上下方向とは交差する方向であって前記一方向と交差する方向に複数が並んで配置され、前記偶数本の第一管部材の下端部と前記第二管部材の下端部とはそれぞれ開口され、前記複数の第二管部材のうち隣合う第二管部材の一方に収納された前記偶数本の第一管部材のうち前記一方向の一側に配置された第一管部材の下部と、前記隣合う第二管材のうち他方に収納された前記偶数本の第一管部材のうち前記一方向の一側に配置された第一管部材の下部とを非熱伝導性材料から形成されたＵ字状の下部連通管４２で連通することを特徴とする。
【０００８】
この構成の本発明では、偶数本の第一管部材のうち１つの第一管部材の内部に冷水や温水等の熱媒体が流通されると、熱媒体が上部連通管を通って当該１つの第一管部材と隣り合う第一管部材の内部に流通することになる。第一管部材及び第二管部材は熱伝導性であるため、熱媒体の熱は第一管部材から第二管部材に伝達され、この第二管部材から室内に放出される。
本発明では、隣り合う第一管部材の上端部同士が上部連通管を介して連通されるので、上下方向とは交差する方向（左右方向）に並ぶ第二管部材の上端部には１本の連続した上部ヘッダが不要となる。このように、第二管部材の上端には、重量のある大きな部材がないので、冷暖房用パネルを設置する際に、上部がその重さでふらつくことが少なく、設置作業が容易となる。設置後においても、冷暖房用パネルの設置姿勢が安定する。当該効果は、冷暖房用パネルの高さが高い場合に顕著である。また、冷えた上部ヘッダ表面の結露水が管部材の間で滴下するという問題がなくなる。
しかも、本発明では、熱媒体が流通される第一管部材の周囲が第二管部材で保護されることになるので、外部から物が当たることで第一管部材自体が破損等することが少なくなり、熱媒体の外部への漏出を防止できる。
さらに、第二管部材の内部に偶数本の第一管部材が収納されているので、１つの第一管部材の下端側から熱媒体が流入されると必ず他の第一管部材の下端側から流出することになる。そのため、第二管部材は奇数本であっても、第一管部材の下部に熱冷媒を供給し、この第一管部材とは異なる第一管部材の下部から熱冷媒を回収することができるので、冷暖房用パネルの設計の自由度が増すことになる。
その上、隣り合う第一管部材同士が下部連通管を介して連通されているので、両端に配置された第二管部材の下端部間を連結する１本の下部ヘッダが不要となる。そのため、第一管部材の下部同士を接続する連通管が必要最小限なものであるので、冷暖房用パネル自体が軽量化され、冷暖房用パネルの設置が容易となる。
【０００９】
本発明では、前記偶数本の第一管部材は、それぞれ円筒状であり、前記第二管部材は、その内周部が前記第一管部材の外周部に複数箇所で接合される角筒状である構成が好ましい。
この構成では、第一管部材と第二管部材とを一体とした押し出し成形が可能となり、第一管部材を組み込んだ状態で第二管部材を容易に製造できる。しかも、第一管部材の外周が第二管部材の内周に複数箇所で接合するので、第一管部材の熱を第二管部材に効率的に伝達することができる。
【００１０】
本発明では、前記上部連通管を覆うプラスチック製のキャップ部材５が前記第二管部材の上端部に接続されている構成が好ましい。
この構成では、第二管部材に収納された第一管部材と上部連通管をキャップ部材で保護することができる。さらに、キャップ部材がプラスチック製であるため、第二管部材の上部での結露を防止することができる。
【００１１】
本発明では、前記第二管部材の下部及び前記下部連通管の正面を覆うプラスチック製の前面カバー６１を備えた構成が好ましい。
この構成では、前面カバーがあることで、連結管やパイプ類を隠すことができる。しかも、前面カバーがプラスチック製であるため、前面カバーに結露が生じにくいものとなるので、前面カバーに生じた結露で床面を濡らすことを防止できる。
【００１２】
本発明の冷暖房装置は、前述の構成の冷暖房用パネル１と、この冷暖房用パネルに接続された熱媒体供給装置２とを備え、前記冷暖房用パネルは、その背面が建物内部の壁部Ｗに対向するように配置される構成が好ましい。
この構成の本発明では、前述の構成の冷暖房用パネルを備えて冷暖房装置が構成されているので、冷暖房用パネルの設置が容易な冷暖房装置を提供することができる。
【００１３】
本発明では、前記第二管部材の前記壁部と対向する背面にはプラスチック製の結露防止板３３が設けられている構成が好ましい。
この構成の本発明では、第二管部材の背面からの熱の伝達を少なくすることができる。その結果、室内側に効率良く熱を伝えることになるだけでなく、第二管部材の背面での結露を防止し、第二管部材から生じる熱が直接、壁部へ伝わりにくいものとなり、壁部での結露も少なくすることができる。
【００１４】
本発明では、前記熱媒体供給装置は、前記複数の第二管部材のうち一方の端の第二管部材に収納された第一管部材に熱媒体を供給する流体供給管２１と、前記複数の第二管部材のうち他方の端の第二管部材に収納された第一管部材から熱媒体を回収する流体回収管２２とを備え、前記流体供給管と前記流体回収管とは、それぞれ前記冷暖房用パネルが設置される床部Ｆに形成された孔Ｆ１に挿通される構成が好ましい。
この構成では、流体供給管と流体回収管とが床部の孔に挿通されているので、第一管部材の下端部に流体供給管の端部と流体回収管の端部とをそれぞれ接続することで、第一管部材及び第二管部材の長さを長いものにできる。つまり、特許文献１の従来例では、熱放射パネルに熱媒体を供給あるいは回収する配管が壁部を貫通して設けられ、これらの配管を含んで熱放射パネルの下部が下部ヘッダで覆われる。これでは、下部ヘッダの上下寸法が大きくなるので、放熱する面積が小さいものとなる。これに対して、本願発明では、特許文献１のような構成の下部ヘッダを省略することができるため、第一管部材及び第二管部材の長さを長くすることが可能となり、冷暖房用パネルから放射される熱量を大きなものにできる。
【図面の簡単な説明】
【００１５】
【図１】本発明の一実施形態にかかる冷暖房装置の正面図。
【図２】暖冷房装置の側面図。
【図３】パネル本体の上部を示す分解斜視図。
【図４】パネル本体の上部を示す縦断面図。
【図５】パネル本体の水平断面図。
【図６】パネル本体の下部を示す斜視図。
【図７】下部連結体の分解斜視図。
【図８】パネル本体の下部を示す分解斜視図。
【図９】パネル本体の下部と流体供給管及び流体回収管との接続構造を示す斜視図。
【図１０】パネル本体の下部を示す一部を省略した側面図。
【発明を実施するための形態】
【００１６】
本発明の一実施形態を図面に基づいて説明する。
図１及び図２には本実施形態の全体構成が示されている。図１は本実施形態にかかる冷暖房装置の正面を示し、図２は暖冷房装置の側面を示す。
図１及び図２において、本実施形態の冷暖房装置は、建物の壁部Ｗの正面に配置される冷暖房用パネル１と、この冷暖房用パネル１に接続された熱媒体供給装置２とを備えている。
冷暖房用パネル１は、パネル本体３と、このパネル本体３を壁部Ｗに設置する設置部４とを備える。
パネル本体３は、所定の大きさ、例えば、床面から天井付近までの高さ寸法が２２００ｍｍ、上下と直交する方向（左右方向）の寸法（幅寸法）が７００ｍｍである。
パネル本体３の正面と壁部Ｗの壁面との間は、所定寸法、例えば８０ｍｍを有する。
【００１７】
熱媒体供給装置２は、図示しない熱源から熱媒体を発生させる装置本体２０を有する。この装置本体２０には、熱媒体を冷暖房用パネル１に供給する流体供給管２１と、冷暖房用パネル１を循環した熱媒体を回収する流体回収管２２とがそれぞれ接続されている。
装置本体２０は、図示しないヒートポンプや制御装置等の従来技術と同様の装置を備えるものであり、床下等の適宜な場所に設置される。本実施形態では、冷暖房用パネル１に供給される熱媒体は、冷水や温水等の流体であり、冷水のみ冷暖房用パネル１に供給される場合や、温水のみ冷暖房用パネル１に供給される場合や、冷水と温水とが切り替えられて冷暖房用パネル１に供給される場合がある。
【００１８】
パネル本体３は、内部に熱媒体が流通される２本の第一管部材３１と、２本の第一管部材３１がそれぞれ収納された複数本の第二管部材３２と、当該２本の第一管部材３１同士を連通する上部連通管４１と、隣り合う第二管部材３２にそれぞれ収納され互いに隣り合う第一管部材３１同士を連通する下部連通管４２と、第二管部材３２の上端部に接続されたキャップ部材５と、第二管部材３２の下部に設けられたプラスチック製の下部連結体６と、を備える。
第一管部材３１は、パネル本体３の正面に対して奥行き方向（図１中紙面貫通方向；図２中紙面左右方向）に並んで配置されている。これらの第一管部材３１は、その上端部と下端部とがそれぞれ開口されている。
【００１９】
第二管部材３２は、パネル本体３の正面に対して上下と直交する方向（図１中左右方向：図２中紙面貫通方向）に並んで配置されており、その上端部と下端部とがそれぞれ開口されている。これらの第二管部材３２の上端縁と下端縁との高さは、それぞれ同じ位置にある。第二管部材３２は複数であれば、その数は限定されるものではない。
第二管部材３２の背面には、壁部Ｗと対向してプラスチック製の結露防止板３３が設けられている。この結露防止板３３の上下方向に延びた長さは、第二管部材３２の上下方向に延びた長さと同じであり（図２参照）、左右方向の寸法は、第二管部材３２の背面の幅方向と同じである（図３参照）。結露防止板３３は、所定の厚み寸法、例えば、２ｍｍを有する。
【００２０】
設置部４は、壁部Ｗの図１中左右方向に沿って並んで固定される複数個の係合部４Ａと、これらの係合部４Ａに係合され左右方向に延びて配置された連結バー４Ｂと、この連結バー４Ｂと各第二管部材３２の背面とを接合する接合ロッド４Ｃとを有する。
これらの接合ロッド４Ｃは、その基端部が第二管部材３２の上端部近傍にそれぞれ接合され、その先端部が連結バー４Ｂの外周部と接合されている。
係合部４Ａの上部は、連結バー４Ｂの外周部の円弧状下面を受けるように湾曲して形成されている。
【００２１】
図３から図５にはパネル本体３の上部の構造が示されている。図３は、パネル本体３の上部の分解斜視を示し、図４は、パネル本体３の上部の縦断面を示し、図５はパネル本体３の水平断面を示す。
図３から図５において、第一管部材３１は円筒状に形成され、第二管部材３２は角筒状に形成されている。
２本の第一管部材３１の外周部は、それぞれ第二管部材３２の内周部に３箇所で接合され、かつ、互いに対向する１箇所で接合される。これらの第一管部材３１と第二管部材３２とはアルミニウム等の熱伝達性材料から押し出しで一体に形成される。
【００２２】
上部連通管４１は、プラスチック等の非熱伝導性材料から形成されたＵ字状管であり、その２つの開口端が２本の第一管部材３１の上端開口端にそれぞれ樹脂パッキン等を介して接合される。そのため、第二管部材３２に収納された２本の第一管部材３１のうち一方の第一管部材３１を流通する熱媒体は、上部連通管４１を経由して他方の第一管部材３１を通る（図４の矢印Ｐ参照）。
キャップ部材５は、上部連通管４１を覆うに十分な高さと第二管部材３２の水平面上の輪郭形状と同じ平面形状を有するプラスチック製の箱状体である。キャップ部材５は、下方に向けて開口されており、その下方開口端が適宜な手段で第二管部材３２の上端開口部と接合されている。
【００２３】
図３に示される通り、壁部Ｗには、第二管部材３２の背面に対向する部分に調湿壁材７が設けられている。この調湿壁材７は、調湿性のある無機多孔質材を添加した火山性ガラス質複合板（厚さ：６ｍｍ）によって形成されている。
調湿壁材７は、適宜な大きさを有するものであり、例えば、パネル本体３の全体の背面形状とほぼ同じ形状であってもよい。
【００２４】
図６は、パネル本体３の下部を示す斜視図であり、図７は、下部連結体６の分解斜視図である。
図６及び図７において、下部連結体６は、複数本の第二管部材３２の下部、下部連通管４２、流体供給管２１及び流体回収管２２の配管類の正面を覆う前面カバー６１と、これらの配管類の背面を覆う背面カバー６２と、これらの前面カバー６１及び背面カバー６２の両側面にそれぞれ設けられ配管類の側面を覆う側面カバー６３と、を備える。これらの前面カバー６１、背面カバー６２及び側面カバー６３は板状であり、上下に開口された箱状体６０として組み立てられている。
箱状体６０の上部には、複数の第二管部材３２を仕切る板状の仕切カバー６４が設けられている。なお、本実施形態では、前面カバー６１及び側面カバー６３から下部連結体６を構成し、背面カバー６２及び仕切カバー６４を省略するものであってもよい。
【００２５】
前面カバー６１は、下部において内側に折り曲げられた段差部６１Ａを有する。
前面カバー６１の上下方向の寸法は、例えば、１５０ｍｍ以下であり、左右方向の寸法は、両端に配置された第二管部材３２の寸法と同じかやや大きい。
側面カバー６３は、上下方向及び左右方向の寸法Ｌ１（例えば１５０ｍｍ）の正方形の１つの角部に寸法Ｌ２（例えば２０ｍｍ）の正方形状の切欠６３Ａが形成された板部材である。切欠６３Ａに段差部６１Ａが係合される。この切欠６３Ａは、パネル本体３の正面を斜め上から下端に向けて見た際（図６の矢印Ｑ参照）、奥行き感を出させるために形成される。
仕切カバー６４は、複数の第二管部材３２の下端部を係合する平面矩形状の係合孔６４Ａが形成されている。なお、仕切カバー６４は、図７に示される通り、複数の係合孔６４Ａが等間隔に形成された板状部としてもよく、図６で示される通り、隣り合う係合孔６４Ａの間の両側にそれぞれ切欠６４Ｂを設けるものでもよい。
【００２６】
パネル本体３の下部の構造を図８から図１０に基づいて説明する。
図８は、パネル本体３の下部を示す分解斜視図であり、図９は、パネル本体３の下部と流体供給管２１及び流体回収管２２との接続構造を示す斜視図であり、図１０は、パネル本体３の下部を示す一部を省略した側面図である。なお、図８及び図１０では、結露防止板３３の図示が省略されている。
図８において、１つの第二管部材３２に収納された２本の第一管部材３１のうちの一方は、右隣に配置された第二管部材３２に収納された第一管部材３１と下部連通管４２を介して連通されている。
当該２本の第一管部材３１のうち他方は、左隣に配置された第二管部材３２に収納された第一管部材３１と下部連通管４２を介して連通されている。
下部連通管４２は、プラスチック等の被熱伝達性材料から形成されたＵ字状管であり、その両開口端がそれぞれ第一管部材３１の下端開口と樹脂パッキン等の適宜な手段で接合されている。
【００２７】
図９において、流体供給管２１は、第一管部材３１に一端が接続された第一パイプ２１１と、第一パイプ２１１の他端に一端が接続された第二パイプ２１２と、第二パイプ２１２と図１０で図示しない装置本体２０と接続する第三パイプ２１３とを有する。
第一パイプ２１１は、図９において最も左端に配置された第二管部材３２の第一管部材３１に連結されている。
第一パイプ２１１は、第一管部材３１の下端に接続された鉛直部２１１Ａと、この鉛直部２１１Ａに対して直角に折れ曲がった水平部２１１Ｂとを有する。
第二パイプ２１２には開閉バルブ２３が設けられている。この開閉バルブ２３を開閉操作することで、装置本体２０から熱冷媒のパネル本体３への供給が許容あるいは阻止される。
第三パイプ２１３の一端部は、第二パイプ２１２の一端部と連結部２１４を介して接続されている。第三パイプ２１３は、建物の床部Ｆに形成された孔Ｆ１に挿通される。
図１０に示される通り、第一パイプ２１１の鉛直部２１１Ａの上下方向の長さは、下部連通管４２の上下方向の長さより長い。
【００２８】
図９に戻り、流体回収管２２は、第一管部材３１に一端が接続された第一パイプ２２１と、第一パイプ２２１の他端に一端が接続された第二パイプ２２２と、第二パイプ２２２と図１０で図示しない装置本体２０と接続する第三パイプ２２３とを有する。
第一パイプ２２１は、最も右端に配置された第二管部材３２の１本の第一管部材３１に連結されている。
第一パイプ２２１は、第一管部材３１の下端に接続された鉛直部２２１Ａと、この鉛直部２２１Ａに対して直角に折れ曲がった水平部２２１Ｂとを有する。
第一パイプ２２１の鉛直部２２１Ａの上下方向の長さは、下部連通管４２の上下方向の長さより長い。
第二パイプ２２２には開閉バルブ２４が設けられている。この開閉バルブ２４を開閉操作することで、パネル本体３から装置本体２０への熱媒体の回収が許容あるいは阻止される。
第三パイプ２２３の一端部は第二パイプ２２２の一端部と連結部２２４を介して接続されている。第三パイプ２２３は、建物の床部Ｆに形成された孔Ｆ１に挿通される。
【００２９】
本実施形態では、第二パイプ２１２，２２２、第一パイプ２１１，２２１及び冷暖房用パネル１までが工場で予め組み立てられており、現場では、第二パイプ２１２，２２２を第三パイプ２１３，２２３に接続し、この第三パイプ２１３，２２３を装置本体２０に接続して冷暖房装置が施工される。
【００３０】
このような構成の冷暖房装置では、装置本体２０から流体供給管２１に熱媒体が送られると、図９において、最も左側に配置された第二管部材３２に収納された第一管部材３１に熱媒体が送られる。すると、熱媒体は第一管部材３１の下部から流入して上部に送られ、上部連通管４１を通って当該第一管部材３１とともに第二管部材３２に収納された第一管部材３１に送られる。この第一管部材３１に送られる熱媒体は、左端から２番目に位置する第二管部材３２に収納された第一管部材３１に下部連通管４２を通って送られる。このように、第一管部材３１、上部連通管４１、第一管部材３１及び下部連通管４２を流通した熱媒体は、最も右側に配置された第二管部材３２の第一管部材３１を通った後、流体回収管２２から装置本体２０に送られる。
熱媒体で放射される熱は第一管部材３１から第二管部材３２を経て室内に放出される。
【００３１】
従って、本実施形態では、次の作用効果を奏することができる。
（１）それぞれ上端部が開口される２本の熱伝導性の第一管部材３１を上端部が開口された熱伝導性の第二管部材３２に収納し、２本の第一管部材３１同士を連通する上部連通管４１を第一管部材３１の上端部に接続し、２本の第一管部材３１が収納された第二管部材３２を左右方向に並んで配置して冷暖房用パネル１を構成した。そのため、隣り合う第一管部材３１を連通するために、隣り合う第一管部材３１の上端部と上部連通管４１とをそれぞれ接続することで、第二管部材３２の上端部には、連続した上部ヘッダが不要となる。従って、上部ヘッダからの結露水の滴下がなくなるだけでなく、冷暖房用パネル１を設置する際に、上部がその重さでふらつくことが少なく、設置作業が容易となり、設置した後でも、冷暖房用パネル１の設置姿勢が安定する。さらに、熱媒体が流通される第一管部材３１の周囲が第二管部材３２で保護されることになるので、熱媒体の外部への漏出を防止できる。そして、第二管部材３２の内部に２本の第一管部材３１が収納されているので、１つの第一管部材３１の下端側から熱媒体が流入されると必ず他の第一管部材３１の下端側から流出することになるため、第二管部材３２が奇数本であっても冷暖房用パネル１を構成することができる。
【００３２】
（２）２本の第一管部材３１は、それぞれ円筒状であり、第二管部材３２は、その内周部が第一管部材３１の外周部に接合される角筒状であるから、第一管部材３１と第二管部材３２とを一体とした押し出し成形が可能となり、パネル本体３を容易に製造できる。しかも、第一管部材３１の外周が第二管部材３２の内周に３箇所で接合し、かつ、第一管部材３１同士が互いに接合するので、第一管部材３１の熱を第二管部材３２に効率的に伝達することができるだけでなく、第一管部材３１と第二管部材３２との間のデッドスペースが少なくなり、第二管部材３２をコンパクトなものにできる。
【００３３】
（３）上部連通管４１を覆うプラスチック製のキャップ部材５が第二管部材３２の上端部に接続されているので、第二管部材３２に収納された第一管部材３１と上部連通管４１をキャップ部材５で保護することができる。キャップ部材５がプラスチック製であるため、第二管部材３２の上部での結露を防止することができる。
【００３４】
（４）２本の第一管部材３１の下端部と第二管部材３２の下端部とはそれぞれ開口され、２本の第一管部材３１のうち隣り合う第一管部材３１同士を下部連通管４２で連通したので、両端に位置する第二管部材３２の下端部同士を連結する１本の下部ヘッダが不要となる。そのため、冷暖房用パネル自体が軽量化され、冷暖房用パネル１の設置が容易となる。
【００３５】
（５）上部連結管４１及び下部連結管４２は、それぞれプラスチック等の非熱伝導性材料（プラスチック）から形成されているので、キャップ部材５や前面カバー６１の結露を防止することができる。
【００３６】
（６）最も左端の第二管部材３２に収納された第一管部材３１に熱媒体を供給する流体供給管２１を接続し、最も右端の第二管部材３２に収納された第一管部材３１に熱媒体を回収する流体回収管２２を接続し、流体供給管２１と流体回収管２２とを冷暖房用パネル１が設置される床部Ｆの孔Ｆ１に挿通した。そのため、第一管部材３１及び第二管部材３２の長さを長くすることが可能となり、冷暖房用パネル１から放射される熱量を大きなものにできる。
【００３７】
（７）複数本の第二管部材３２の下部正面を前面カバー６１で覆ったので、第二管部材３２の下部正面を隠すことができる。しかも、前面カバー６１は、設置する第二管部材３２の本数に応じて長さを自由に設定することができるので、パネル本体３の製造が容易となる。その上、前面カバー６１がプラスチック製であるため、前面カバー６１の正面には結露が生じにくくなり、前面カバー６１から結露が滴下して床部を濡らすことが少ない。
【００３８】
（８）前面カバー６１と、第二管部材３２の下部背面を覆う背面カバー６２と、前面カバー６１及び背面カバー６２の両側面にそれぞれ設けられた側面カバー６３とを備えて箱状体６０を構成し、箱状体６０の上部に第二管部材３２を仕切る板状の仕切カバー６４を設けたから、複数の第二管部材３２を所定間隔に維持することができる。
【００３９】
（９）箱状体６０で第二管部材３２の下部、下部連通管４２、流体供給管２１及び流体回収管２２を囲ったので、配管類を外部から見られることを防止できる。
【００４０】
（10）第二管部材３２の壁部Ｗと対向する背面にはプラスチック製の結露防止板３３が設けられているから、結露防止板３３での結露を減少させ、さらに、壁部Ｗでの結露も減少させることができる。
【００４１】
(11）壁部Ｗに、第二管部材３２の背面、つまり、結露防止板３３と対向するように調湿壁材７が設けられているので、壁部Ｗの湿度が調整されることで、壁部Ｗ自体の結露を減少させることができる。
【００４２】
(12)前面カバー６１に段差部６１Ａを設け、この前面カバー６１の両側に設けられた側面カバー６３に切欠６３Ａを設けたから、斜め上から矢印Ｑに沿ってパネル本体３の下端を見た際に、奥行き感が生じるので、外観が良好となる。
【００４３】
(13) 流体供給管２１及び流体回収管２２の第一パイプ２１１，２２１の鉛直部２１１Ａ，２２１Ａの上下方向の長さは、下部連通管４２の上下方向の長さより長いので、流体供給管２１及び流体回収管２２と下部連通管４２とを接続する際に、管同士が干渉することを防止できる。
【００４４】
(14)流体供給管２１及び流体回収管２２を現場で施工する際、従来は、床からの立ち上がり部の狭い領域で、管同士を接続する必要があったが、本実施形態では、これらの流体供給管２１及び流体回収管２２を水平に取り付けることで、施工性が高まる。
【００４５】
なお、本発明は、前記実施形態に限定されるものではなく、本発明の目的を達成できる範囲で以下に示される変形をも含むものである。
例えば、前記実施形態では、第二管部材３２に収納される第一管部材３１の数を２本としたが、本発明では、偶数本であれば、その数は限定されることがなく、例えば、４本、６本等であってもよい。さらに、第二管部材３２の配列方向も上下と直交する左右方向に限定されるものではなく、上下方向と交差する方向であれば、必ずしも直交するものに限定されない。
【００４６】
また、第一管部材３１を円筒状とし、第二管部材３２を角筒状としたが、本発明では、第一管部材を他の形状、例えば、角筒状や楕円筒状とし、第二管部材を円筒状や楕円筒状としてもよい。
さらに、第一管部材３１の外周と第二管部材３２の内周との接合箇所は３箇所に限定されるものではなく、１箇所あるいは２箇所であってもよく、第一管部材３１同士は互いに離隔される構成でもよい。
また、第一管部材３１と第二管部材３２とを押し出しで一体に形成したが、本発明では、第一管部材３１と第二管部材３２とを別々に押し出しで形成し、その後、接合する構成としてもよい。
さらに、本発明では、上部連通管４１を覆うプラスチック製のキャップ部材５を省略するものでもよく、仮に、設ける場合であっても、プラスチック製に限定されるものではない。
また、本発明では、前面カバー６１や結露防止板３３を省略するものでもよい。
【符号の説明】
【００４７】
１…冷暖房用パネル、２…熱媒体供給装置、３…パネル本体、５…キャップ部材、２１…流体供給管、２２…流体回収管、３１…第一管部材、３２…第二管部材、３３…結露防止板、４１…上部連通管、４２…下部連通管、６１…前面カバー、６３…側面カバー、Ｆ…床部、Ｆ１…孔
【図１】
0005952790.tif 000002
【図２】
0005952790.tif 000003
【図３】
0005952790.tif 000004
【図４】
0005952790.tif 000005
【図５】
0005952790.tif 000006
【図６】
0005952790.tif 000007
【図７】
0005952790.tif 000008
【図８】
0005952790.tif 000009
【図９】
0005952790.tif 000010
【図１０】
0005952790.tif 000011